(57)【要約】  デジタル合計値を調整することにより、可視パターンが取得される。デジタル合計値の調整は、ＤＣ制御点同士の間でいくつかの異なるチャネルビット群の選択肢を可能とするので、チャネルビット群の選択は、反射率の変化を結果としてもたらす。この可視パターンの創出は、ブルーレイには非常に適している。なぜならば、チャネルコードのパリティ保存性が、ＤＣ制御ビットによるディスパリティ反転を保障し、ＤＳＶの偏移をハードリミット間に保つためである。その結果、可視透かしを生成するのに、ＤＳＶの小さな意図的変化のみが必要とされることとなり、光ディスクのビット検出マージンが悪化させられない。
2010514085.tif 000002
【特許請求の範囲】
【請求項１】
トラックと、
前記トラック内に配された複数のチャネルビットとを含み、
前記複数のチャネルビットが、デジタル合計値を有し、
前記デジタル合計値が、ＤＣ制御により決定される設定点を有し、
前記ＤＣ制御が、ＤＣ制御範囲内に制限された光ディスクであって、
前記設定点は、限られた連続領域内において調整された設定点であり、該限られた連続領域は、１つより多くのトラックを含み、当該光ディスクの可視パターンと空間的に相関付けられていることを特徴とする光ディスク。
【請求項２】
前記調整された設定点が、前記限られた連続領域内において前記設定点に予め規定された値を加算すること、または前記設定点から予め規定された値を減算することにより、調整されたものであることを特徴とする請求項１記載の光ディスク。
【請求項３】
前記調整された設定点が、前記可視パターンと、前記限られた連続領域外の当該光ディスク上の領域との間で、予め規定されたコントラスト比を実現するように、前記設定点を変更することにより、調整されたものであることを特徴とする請求項１記載の光ディスク。
【請求項４】
前記調整された設定点が、前記限られた連続領域内においてのみ、前記ＤＣ制御範囲を超えるものであることを特徴とする請求項１、２または３記載の光ディスク。
【請求項５】
結果として再生装置のサーボ制御ループにもたらされる干渉が、最小限に抑えられるように、前記調整の振幅が選択されることを特徴とする請求項１、２または３記載の光ディスク。
【請求項６】
結果として再生装置のビット検出にもたらされる干渉が、最小限に抑えられるように、前記調整の振幅が選択されることを特徴とする請求項１、２または３記載の光ディスク。
【請求項７】
結果として再生装置のサーボ制御ループにもたらされる干渉が、最小限に抑えられるように、前記調整の頻度の内容が選択されることを特徴とする請求項１、２または３記載の光ディスク。
【請求項８】
結果として再生装置のビット検出にもたらされる干渉が、最小限に抑えられるように、前記調整の頻度の内容が選択されることを特徴とする請求項１、２または３記載の光ディスク。
【請求項９】
前記調整が、０．５ｍｍ以上の前記可視パターンのフィーチャーをもたらすことを特徴とする請求項７または８記載の光ディスク。
【請求項１０】
前記可視パターンが透かしであることを特徴とする請求項１から９いずれか１項記載の光ディスク。
【請求項１１】
請求項１記載の光ディスクの記録作成を行う記録方法であって、
可視パターンを表す限られた連続領域を規定する工程と、
前記限られた連続領域内の前記設定点を、調整する工程とを含むことを特徴とする記録方法。
【請求項１２】
前記設定点から予め規定された値を減算することにより、前記設定点を調整する工程を含むことを特徴とする請求項１１記載の記録方法。
【請求項１３】
前記設定点に予め規定された値を加算することにより、前記設定点を調整する工程を含むことを特徴とする請求項１１記載の記録方法。
【請求項１４】
前記可視パターンと、前記限られた連続領域外の前記光ディスク上の領域との間で、予め規定されたコントラスト比を実現するように、前記設定点を調整する工程を含むことを特徴とする請求項１１記載の記録方法。
【請求項１５】
前記限られた連続領域内においてのみ、前記調整された設定点が前記ＤＣ制御範囲を超えることを許容する工程を含むことを特徴とする請求項１１記載の記録方法。
【請求項１６】
結果として再生装置のサーボ制御ループにもたらされる干渉が、最小限に抑えられるように、前記調整の振幅を変更する工程を含むことを特徴とする請求項１１記載の記録方法。
【請求項１７】
結果として再生装置のビット検出にもたらされる干渉が、最小限に抑えられるように、前記調整の振幅を変更する工程を含むことを特徴とする請求項１１記載の記録方法。
【請求項１８】
結果として再生装置のサーボ制御ループにもたらされる干渉が、最小限に抑えられるように、前記調整の頻度の内容を変更する工程を含むことを特徴とする請求項１１記載の記録方法。
【請求項１９】
結果として再生装置のビット検出にもたらされる干渉が、最小限に抑えられるように、前記調整の頻度の内容を変更する工程を含むことを特徴とする請求項１１記載の記録方法。
【請求項２０】
結果として０．５ｍｍ以上の前記可視パターンのフィーチャーがもたらされるように、前記調整の変化のレートを制限する工程を含むことを特徴とする請求項１１記載の記録方法。
【請求項２１】
請求項１から１０いずれか１項記載の記録担体上に情報を記録する記録装置であって、
可視パターンを表す限られた連続領域を規定するプロセッサと、
前記限られた連続領域内の前記デジタル合計値の前記設定点を、調整する調整器とを含み、
前記調整器が、前記限られた連続領域に関する情報を、前記プロセッサから受け取るべく、前記プロセッサに接続されていることを特徴とする記録装置。
【発明の詳細な説明】
【技術分野】
【０００１】
本発明は、
− トラックと、
− そのトラック内に配された複数のチャネルビットとを含み、
それら複数のチャネルビットが、デジタル合計値（Ｄｉｇｉｔａｌ  Ｓｕｍ  Ｖａｌｕｅ；ＤＳＶ）を有し、
そのデジタル合計値が、ＤＣ制御により決定される設定点を有し、
そのＤＣ制御が、ＤＣ制御範囲内に制限されているような光ディスクに関するものである。
【背景技術】
【０００２】
かかるディスクは、光ディスクに記録を行うためのチャネルコードが開示された、米国特許第６４９６５４１号より知られている。この１７ＰＰチャネルコードは、パリティ保存性のものである。光ディスク上に透かし（ｗａｔｅｒｍａｒｋ）を創出するためには、追加コードワードによってかかるコードを拡張し、符号化に際してより高い反射率またはより低い反射率をもたらすコードワードの間で選択肢が存在するようになす。しかしながら、ほとんどのコードワードが既にコードにより使用されており、使用されていない利用可能な追加のコードワードがあまり多く存在せず、したがって必ずしも最適な反射率が得られないために結果として品質が低くなってしまうような場合には、この形態は、常に可能というわけではない。加えて、コードに追加のコードワードを付するということは、それらの追加コードワードを正しくデコードするために、デコーダを変更しなくてはならないことを意味し、その結果、インストール済みの基本形態との後方互換性が失われてしまう。
【０００３】
見た目のパターンは、ディスクを検査し、そのディスクが真正のディスクか否かを特定することを可能とする、透かしの形態である。
【０００４】
透かしの付与およびその他のコピープロテクション対策は、家庭における複製と、海賊版ビジネスとを阻止するためにとられている対策である。
【０００５】
かかる透かしを有する既知の記録担体もまた、業務用のレーザービームレコーダ（ＬＢＲ）によれば、それらのディスクを複製できるという問題を有している。ＬＢＲは、光ディスクのための業務用のマスタリング機械である。かかるレーザービームレコーダを用いた、既知の透かしを有する記録担体の複製を、オリジナルの記録担体と見分けることは困難である。
【発明の概要】
【発明が解決しようとする課題】
【０００６】
本発明の１つの目的は、容易にコピーすることのできない可視パターンを有する、記録担体を提供することである。
【課題を解決するための手段】
【０００７】
上記の目的を達成するため、本発明に係る光記録担体は、デジタル合計値が、限られた連続領域内において設定点から外された調整デジタル合計値とされており、この限られた連続領域が、１つより多くのトラックを含み、当該光ディスク上の可視パターンと空間的に相関付けられていることを特徴とする。
【０００８】
可視パターンは、デジタル合計値を調整することにより取得される。デジタル合計値の調整は、ＤＣ制御点同士の間でいくつかの異なるチャネルビット群の選択肢を可能とするので、チャネルビット群の選択は、反射率の変化を結果としてもたらす。このチャネルコードの制約条件の範囲内で、チャネルビット群に対するマークとランドとの表面比率の変化、換言すると「１」チャネルビットの数と「０」チャネルビットの数との比率の変化が可能である。たとえば、ランドの表面積よりもマークの表面積の方が多いと、反射率の変化がもたらされる。たとえば反射率の低減をもたらすようなチャネルビット群を選択することにより、それらのチャネルビットを表すマークおよびランドが記録されている記録担体上の領域は、より暗い領域として見えることとなる。これを、限られた連続領域内のいくつかのトラックに適用すると、この連続領域は、より少ない光を反射する領域、したがってより暗く見える領域となり、可視パターンの創出を可能とする。
【０００９】
ここで、当然ながら、上記の限られた連続領域の外側の領域も異なる調整態様（たとえば非相関または小さな振幅の態様）で調整され、それにより、限られた連続領域と外側の領域との間にコントラストが創出される場合にも、本発明は機能する点に留意されたい。
【００１０】
視覚的な透かしは、たとえばＤＶＤにおいて、チャネルコード規則の自由度を利用してデジタル合計値を調整することにより、視覚的なフォーマットでディスク上にコンテンツ情報を記憶するために用いられる。
【００１１】
この可視パターンの創出は、ブルーレイには非常に適している。なぜならば、チャネルコードのパリティ保存性が、ＤＣ制御ビットによるディスパリティ反転を保障し、ＤＳＶの偏移をハードリミット間に保つためである。その結果、可視透かしを生成するのに、ＤＳＶの小さな意図的変化のみが必要とされることとなり、光ディスクのビット検出マージンが悪化させられない。
【００１２】
ここで、本明細書では、ブルーレイにおいて用いられているチャネル符号化に言及することが多いが、ＥＦＭ＋のような、ＤＣ制御手段を含む他のチャネルコードも、本発明の適用に適している点に留意されたい。ＥＦＭ＋では、標準的なＤＣ制御は、生成されるチャネルビットのＤＣコンテンツを最小とするべく、コードワードの選択にも影響を与え、この選択を操作することにより、可視パターンが取得される。
【００１３】
上記の光ディスクの１つの実施形態では、調整デジタル合計値は、上記の限られた連続領域内において、設定点から予め規定された値を減算することにより調整されたものとされる。
【００１４】
ＤＣ制御の設定点を調整することにより、ＤＣ制御は、新たな設定点を実現しようとするようにデジタル合計値を調整し、したがってユーザーデータを表すチャネルビットの選択に影響を与える。設定点を調整することにより、ＤＣ制御ループは、そのまま手つかずの状態に留まることができる。
【００１５】
上記の光ディスクの別の実施形態では、調整デジタル合計値は、可視パターンと、上記の限られた連続領域外の当該光ディスク上の領域との間で、予め規定されたコントラスト比を実現するように、調整されたものとされる。
【００１６】
ユーザーデータを表すものとして、チャネルビット群の複数の選択肢が選択可能であり、各チャネルビット群は特定の反射率を有しているので、可視パターンとディスク上の周辺領域との間のコントラストを、調整することができる。
【００１７】
上記の光ディスクの別の実施形態では、調整デジタル合計値は、上記の限られた連続領域内においてのみ、ＤＣ制御範囲を超えるものとされる。
【００１８】
限られた領域内でデジタル合計値を調整することにより、その領域内においてデジタル合計値がＤＣ制御範囲を超える状態が生じ得る。これは、視覚手段によってのみならず、再生装置によっても検出可能である。ＤＣ制御範囲は、限られた連続領域外のディスク上の領域を観測し、その領域に対するＤＣ制御範囲を参照範囲として特定することにより、容易に確立することができる。
【００１９】
上記の光ディスクの別の実施形態では、結果として再生装置のサーボ制御ループにもたらされる干渉が最小限に抑えられるように、上記の調整の振幅が選択される。
【００２０】
可視パターンを創出するのに必要とされる調整の振幅は、可視パターンを創出するが、デジタル合計値に与える影響が最低限に抑えられるような調整を選択することにより、選択することができる。可視パターンを実現するのに必要なチャネルビット群の選択を行う際には、いくつかの選択肢が存在するので、再生装置のサーボ制御ループに与える影響が最も低いチャネルビット群を選択することができる。
【００２１】
上記の光ディスクの別の実施形態では、結果として再生装置のビット検出にもたらされる干渉が最小限に抑えられるように、上記の調整の振幅が選択される。
【００２２】
可視パターンを創出するのに必要とされる調整の振幅は、可視パターンを創出するが、デジタル合計値に与える影響が最低限に抑えられるような調整を選択することにより、選択することができる。可視パターンを実現するのに必要なチャネルビット群の選択を行う際には、いくつかの選択肢が存在するので、再生装置のたとえばビットスライサーに与える影響、したがってビット検出に与える影響が最も低いチャネルビット群を選択することができる。
【００２３】
上記の光ディスクの別の実施形態では、結果として再生装置のサーボ制御ループにもたらされる干渉が最小限に抑えられるように、上記の調整の頻度の内容が選択される。
【００２４】
可視パターンを創出するのに必要とされる調整の頻度の内容は、可視パターンを創出するが、デジタル合計値に与える影響が最低限に抑えられるような調整を選択することにより、選択することができる。設定点の変更は、サーボループ内に不連続性をもたらす。再生装置のサーボ制御ループが可能な限り妨害されないように、設定点の変更回数を制限することができる。
【００２５】
上記の光ディスクの別の実施形態では、結果として再生装置のビット検出にもたらされる干渉が最小限に抑えられるように、上記の調整の頻度の内容が選択される。
【００２６】
可視パターンを創出するのに必要とされる調整の頻度の内容は、可視パターンを創出するが、デジタル合計値に与える影響が最低限に抑えられるような調整を選択することにより、選択することができる。設定点の変更は、ビットスライサー中の不連続性、したがってビット検出の不連続性をもたらす。再生装置のビット検出が可能な限り妨害されないように、設定点の変更回数を制限することができる。
【００２７】
上記の光ディスクのさらなる実施形態では、上記の調整が、０．５ｍｍ以上の可視パターンのフィーチャーをもたらすものとされる。
【００２８】
可視フィーチャーを０．５ｍｍより大きなフィーチャーに保つことにより、設定点の変更が減らされ、したがってビット検出および／またはサーボループの妨害が最小限に抑えられる。可視フィーチャーを０．５ｍｍより大きなフィーチャーに保つことはまた、それらのフィーチャーを裸眼で視認可能なものに保つのにも役立つ。
【００２９】
上記の光ディスクのさらなる実施形態では、上記の可視パターンが透かしとされる。
【００３０】
上記の可視パターンを透かしとして用いることにより、透かしの偽造が防止される。データの複製は、ＤＣ制御情報を除去してしまうので、可視パターンも除去され、結果として透かしも除去される。そのため、違法に複製されたディスクを、オリジナルの光ディスクと見分けることができる。
【００３１】
複製プロセス中においても利用できるようにＤＣ制御情報を保持するため、高度な装置を使用した場合であっても、ディスク間の物理的な差異により、隣接トラック上のチャネルビット群のアラインメントは損なわれ、したがって可視イメージおよび透かしは失われる。
【００３２】
デジタル合計値の設定点はいくつかの値をとることができるので、周辺領域とのコントラストも調整することができる。これにより、視認度の強いまたは弱い可視パターンを創出することが可能とされる。
【００３３】
また、設定点は漸進的に変化させることもできる。設定点がより漸進的に変化させられれば、可視パターンと周辺との間のコントラストは、より低くなる。
【００３４】
ＷＭは、ロックされたディスク回転モータを用いたビットごとのコピーによってのみ、不正に作成することができる。しかしながら、かかるコピーでは、ディスクのエラーもコピーされるので、より低い品質のコピーが作られることとなる。要求されているＤＳＶ設定点は、ユーザーデータ、データ位置、およびチャネルビットのＤＳＶ履歴に依存するので、データが再符号化された場合、この要求されているＤＳＶ設定点を回復することは極めて難しい。その結果、正確な可視パターンは、もはや複製不可能となる。
【００３５】
要約すると、本発明は以下の利点を有する。
１．任意の光ディスク規格に適用可能である点
２．可視透かしのコントラストが可変である点
３．フォーマット変更が必要ない点
【００３６】
適用されるＷＭはまた、マスタ番号、製造業者、または「ｍｅｒｒｙ  ｃｈｒｉｓｔｍａｓ  Ｍａｒｇｏｔ」といった隠しメッセージに関する追加情報であって、ＤＳＶ調整の振幅変動または波形として符号化された追加情報も含んでいてもよい。これらのデータは、たとえば「高速スライサー」（チャネルコードのノイズを抑制するためＰＬＬ内の遷移を観察するスライサー）または単純なフィードバックスライサーによって、検出信号中のＤＣ変動成分として検出され得る。
【００３７】
さらに、過度に高速のＤＳＶ変動は、検出回路系によって追うことができず、追加のジッタ（ビットエラー）を導入してしまう。そのため、ＷＭの振幅および帯域幅を制限することが賢明である。
【図面の簡単な説明】
【００３８】
【図１】記録装置のブロック図
【図２】記録装置において一般的に使用されるエンコーダを示した図
【図３】本発明に係る記録装置のエンコーダを示した図
【図４】本発明に係る記録装置のエンコーダの、別の実施形態を示した図
【図５】２つのチャネルビット群の間の比較を示した図
【図６】低い反射率に対するものとして選択されたチャネルビットを有する、光ディスクの一部を示した図
【図７】高い反射率に対するものとして選択されたチャネルビットを有する、光ディスクの一部を示した図
【図８】中間的な反射率を有する光ディスクの一部を示した図
【図９】ＤＣ制御を伴わない複製による効果を示した図
【図１０】ＤＣ制御を伴う複製による効果を示した図
【発明を実施するための形態】
【００３９】
以下、図面に基づいて本発明を説明する。
【００４０】
図１は、記録装置のブロック図を示している。
【００４１】
記録装置１は、入力部３において受信されたユーザーデータを、光記録担体８上に記録するように構成されている。この記録のため、記録装置１はデータフォーマッタ４を含んでいる。このデータフォーマッタ４は、入力部３からユーザーデータを受け取り、そのユーザーデータが、どのフォーマットで光ディスク８上に記録されなくてはならないかを特定する。結果として得られたフォーマット化されたデータは、データフォーマッタ４により、エラー訂正エンコーダ５に供給される。このエラー訂正エンコーダ５は、データフォーマッタ４から受け取ったデータに、エラー訂正コードを適用する。このエラー訂正符号化されたデータは、続いて、エラー訂正エンコーダ５により、チャネルエンコーダ６に供給される。チャネルエンコーダ６は、エラー訂正符号化されたデータが、光ディスク８上への記録により適したデータとなるように、このエラー訂正符号化されたデータに、チャネルコードを適用する。チャネルエンコーダ６は、エラー訂正符号化されたデータに、たとえば制約を有するランレングス制限コードを適用する。別の具体例としては、光ディスク用記録装置内のチャネルエンコーダにより利用されることの多い、１７ＰＰパリティ保存チャネルコードが挙げられる。
【００４２】
チャネルエンコーダ６の結果として得られるのは、チャネルエンコーダ６によりフロントエンド７に供給される、チャネルビット群である。記録モードにある際、このフロントエンド７では、チャネルエンコーダ６により提供されたチャネルビット群に対応するマークを、光ディスク上に記録するため、これらのチャネルビット群が、変調レーザービームに変換される。このフロントエンド７は、偏光手段、方向転換手段、フィルタ手段等々を有していてもよい、光路を含んでいる。
【００４３】
最終的な結果として、光ディスク上のトラックにチャネルビットが記録された、光ディスク８が得られる。
【００４４】
典型的な記録装置１の別の部分として、再生セクション９、１０、１１、１２がある。読出モードにおいて光ディスク８からマークを読み出す際には、フロントエンド７は、マーク／ランドのパターンをチャネルビット群に変換し、これらのチャネルビット群を、チャネルデコーダ９に供給する。チャネルデコーダ９は、チャネルエンコーダ６の逆の機能を実行する。すなわち、チャネルコードを除去して、エラー訂正符号化されたデータを結果として得る。チャネルデコーダ９は、チャネルビット群から復号されたこのエラー訂正符号化されたデータを、エラー訂正デコーダ１０に供給する。エラー訂正デコーダ１０は、このエラー訂正符号化されたデータにエラー訂正復号処理を施し、エラーが存在しかつそのエラーの検出／訂正が可能である場合には、それらのエラーの検出／訂正を行う。エラー訂正デコーダの出力は、データデフォーマッタ１１に供給される、フォーマット化されたデータである。データデフォーマッタ１１は、このフォーマット化されたデータからフォーマットを除去し、結果として得られたユーザーデータを、記録装置の出力部１２に供給する。
【００４５】
図２は、記録装置において一般的に使用されるチャネルエンコーダを示している。
【００４６】
本発明を説明するため、まず、当該技術分野において既知でありブルーレイディスクレコーダにおいて使用されているような、ＤＣ制御を伴う１７ＰＰチャネルエンコーダ６を説明する。
【００４７】
１７ＰＰチャネルエンコーダは、入力部１３を有しており、図１で説明したように、この入力部１３において、エラー訂正符号化されたデータが受け取られる。このデータは、第１の１７ＰＰコーダ１４ａおよび第２の１７ＰＰコーダ１４ｂに供給される。ビット群の前に「０」ビットが挿入され、その結果、第１の連結ビット群が得られる。この第１の連結ビット群は、第１の１７ＰＰコーダにより符号化され、その結果、１７ＰＰ符号化されたビットの第１ビット群が得られる。
【００４８】
これと並行して、ビット群の前に「１」ビットが挿入され、その結果、第２の連結ビット群が得られる。この第２の連結ビット群は、第２の１７ＰＰコーダにより符号化され、その結果、１７ＰＰ符号化されたビットの第２ビット群が得られる。
【００４９】
１７ＰＰ符号化されたビットの第１ビット群および第２ビット群の両方が、ＤＣ制御ユニット１７に供給される。ＤＣコンテンツを最小化することが、このＤＣ制御ユニット１７に課されたタスクである。このＤＣコンテンツは、記録のためフロントエンド７に供給されるチャネルビットの、ランニングデジタル合計（Ｒｕｎｎｉｎｇ  Ｄｉｇｉｔａｌ  Ｓｕｍ）またはデジタル合計値（Ｄｉｇｉｔａｌ  Ｓｕｍ  Ｖａｌｕｅ）としても知られている。このＤＣコンテンツの最小化は、チャネルビットの記録および取出しのために有利である。
【００５０】
ＤＣコンテンツを最小化するため、ＤＣ制御ユニット１７は、スイッチを操作し、１７ＰＰ符号化されたビットの第１ビット群または第２ビット群のいずれかを選択できるものとされている。ＤＣ制御ユニット１７は、これらのビット群のうちの一方を選択し、その選択された一方を、１Ｔプリコーダ１８へ、続いてチャネルエンコーダ６の出力部１９へと送る。
【００５１】
１７ＰＰ符号化されたチャネルビットのビット群のデジタル合計値（すなわちＤＣコンテンツ）を特定するため、１Ｔプリコーダの出力は、積分器２０により積分され、積分結果が、ＤＣ制御ユニット１７に供給される。
【００５２】
ＤＣ制御ユニット１７の最終目標は、記録されるチャネルビット中におけるＤＣコンテンツが可能な限り低くなることを保障するため、デジタル合計値（ＤＳＶ）を、可能な限りゼロ（または他の一定値）近くに保つことである。
【００５３】
回復されたチャネルビットが最小限のＤＣコンテンツしか有さない場合、レコーダまたは再生装置のフロントエンド７内のサーボループは、より良好に動作する。また、低いＤＣコンテンツを伴う場合、読出モードにおけるビット検出も改善される。
【００５４】
図３は、本発明に係る記録装置のエンコーダを示している。
【００５５】
従来は、光ディスク上の可視パターンの創出は、実際のチャネルコードを変更することにより実現されており、その結果、互換性の問題、およびチャネルコードの性能の低下が生じていた。本発明は、１７ＰＰ符号化には手をつけないままとすることにより、この問題を回避する。したがって、この手つかずの１７ＰＰチャネルコードの復号処理も影響を受けず、こうして、本発明に係る光ディスクと、既存のインストール済みの再生装置との互換性が保障される。
【００５６】
チャネルコード自体を変更する代わりに、ＤＣ制御が変更される。このことの利点は、このＤＣ制御の変更が適切に実行されれば、データの読出中におけるビット検出およびサーボループは影響を受けず、反射率のさらに顕著な変化を実現し、効率的に制御することができるという点である。
【００５７】
このため、積分器２０とＤＣ制御ユニット１７との間に加算装置２２（またはコントロールされた態様で積分器２０の出力に作用する任意の他の装置）を追加することにより、チャネルエンコーダ６が変更される。チャネルエンコーダ６の新たな透かし入力部２１に与えられた値が、積分器２０の出力に加算される。
【００５８】
積分器２０が通常の動作をしている間、たとえば実際に０のＤＳＶを出力している間において、透かし入力部２１に値が与えられると、ＤＣ制御ユニット１７は、０とは異なる値を受け取ることとなる。たとえば、透かし入力部２１に＋３の値が与えられ、積分器が加算装置２２に値「０」を供給している場合には、ＤＣ制御ユニット１７は値「３」を受け取り、したがってこの受け取られる値「３」を「０」に減らそうとして、１７ＰＰ符号化されたビットの異なるビット群の選択を開始する。ＤＣ制御ユニットがこの目標を達成すると、出力されるチャネルビットの実効ＤＳＶは、「−３」となる。このため、透かし入力２１において受け取られる値は、当初のシステムの設定点（「０」）を、透かし入力部に与えられた任意の値の負の値に、実効的に変更する。上記の例では、設定点が「−３」に変更されている。明らかなことであるが、加算装置２２の極性を変えることにより、入力値から設定点の値への変換の極性は、変えることができる。
【００５９】
たとえば、実験用のシステムにおいて設定点が増大させられると、結果として、より低い反射率の領域、すなわちいくつかの隣接トラックがそのように扱われればより暗く視認される領域が、もたらされることが分かった。
【００６０】
図４は、本発明に係る記録装置のエンコーダの、別の実施形態を示している。
【００６１】
積分器２０とＤＣ制御ユニット７との間の加算装置２２に代えて、１Ｔプリコーダ８の出力部と、積分器２０の入力部との間に、加算装置２３（ここでも、コントロールされた態様で積分器２０の出力に作用する任意の他の装置でもよい）が挿入されている。この加算装置２３は、チャネルエンコーダ６の透かし入力部２４にも接続されている。
【００６２】
透かし入力部２４に値が付与されると、この値は、チャネルビットのディスパリティ（ｄｉｓｐａｒｉｔｙ）に加算される。積分器２０による積分の後、結果としてＤＣ制御ユニット１７には、より高い値（透かし入力部２４における値が正の値である場合）が与えられ、ちょうど図３で説明したのと同様に、ＤＣ制御ユニットが、１７ＰＰ符号化されたビットの異なるビット群の選択を開始する。透かし入力部２４における透かし値が、より長い時間に亘って与えられれば、透かし値も積分され、一定値により、ＤＳＶがますます大きく外れていく結果をもたらす点にも留意されたい。交番入力（極性が交互に変えられる入力）は、ＤＳＶの長期間に亘る平均値を一定に維持する。
【００６３】
図５は、２つのチャネルビット群の間の比較を示している。
【００６４】
図２の記載に戻って参照すると、１７ＰＰ符号化されたビットの第１ビット群２５と、１７ＰＰ符号化されたビットの第２ビット群２８とが生成された。図５には、かかる第１のチャネルビット群２５が、光ディスク上におけるマークおよびランドの対応の第１群２６と共に示されている。図から見て取れるように、マークはランドにより中断されているものの、多くのマークが存在するので、反射率が低減させられ、光ディスクはこの領域においてより暗くされている。とりわけ、この措置がいくつかの隣接するトラックに施されているときは、光ディスクがこの領域においてより暗くされる。
【００６５】
図５にはまた、上記の第２のチャネルビット群２８が、光ディスク上におけるマークおよびランドの対応の第２群２９と共に示されている。図から見て取れるように、マークはランドにより中断されているが、より少ないマークしか存在しないので、反射率が増大させられ、光ディスクはこの領域において、１７ＰＰ符号化されたビットの第１ビット群の場合より明るくされている。ここでも、とりわけこの措置がいくつかの隣接するトラックに施されているときは、光ディスクがこの領域においてより明るくされる。
【００６６】
図６は、低い反射率に対するものとして選択されたチャネルビットを有する、光ディスクの一部を示している。
【００６７】
説明を簡単にするため、同一の第１のチャネルビット群２５を用いた、４つの同一のトラックが図示されている。マークおよびランドのパターンは、図５におけるマークおよびランドの第１群２６と同一のままとされている。これは単に、説明目的のためのものである。隣接するトラック上に同一のパターンを有する状態は実際には生じそうにないが、パターンの典型的なばらつきを示すことは、説明を不必要に複雑にしてしまう点に留意されたい。しかしながら、本発明はユーザーデータの内容に依存するものではないため、本発明の効果は４つの同一のトラックに対しても働くものであり、したがって安心して４つの同一のトラックの例を説明に用いることができる。
【００６８】
図から見て取れるように、比較的多くのマークが存在し、ディスクのこの部分の反射率は比較的低く、その結果、光ディスクの比較的暗い領域がもたらされる。
【００６９】
図７は、高い反射率に対するものとして選択されたチャネルビットを有する、光ディスクの一部を示している。
【００７０】
説明を簡単にするため、４つの同一のトラックが図示されている。マークおよびランドのパターンは、図５におけるマークおよびランドの第２群２９と同一のままとされている。これは単に、説明目的のためのものである。隣接するトラック上に同一のパターンを有する状態は実際には生じそうにないが、パターンの典型的なばらつきを示すことは、説明を不必要に複雑にしてしまう点に留意されたい。しかしながら、本発明はユーザーデータの内容に依存するものではないため、本発明の効果は４つの同一のトラックに対しても働くものであり、したがって安心して４つの同一のトラックの例を説明に用いることができる。
【００７１】
図から見て取れるように、比較的少数のマークが存在し、ディスクのこの部分の反射率は比較的高く、その結果、マークおよびランドの第１群２６が存在する領域と比較して、あるいは記録されるチャネルビットを通常の非相関のＤＣ制御が決定した領域と比較して、光ディスクの比較的明るい領域がもたらされる。
【００７２】
他の図と同様に、マークおよびランド２９が対応するチャネルビットが、それらのマークおよびランドの上方に、「０」および「１」のシーケンスとして示されている。
【００７３】
図８は、中間的な反射率を有する光ディスクの一部を示している。
【００７４】
図５、図６および図７との一致性を保つため、図８に示したディスクの一部でも、マークおよびランドの同一の第１群２６と、マークおよびランドの同一の第２群２９とを用いている。
【００７５】
図から見て取れるように、マークおよびランドの第１群２６を有するトラックと、マークおよびランドの第２群２９を有するトラックとが、たとえば図示されているように交互に付与された場合には、中間レベルの反射率が得られる。したがって、反射率のスケール上において、マークならびにランドの第１群２６のみが存在する状態、およびマークならびにランドの第２群２９のみが存在する状態という、より極端な状態の間に位置付けられる、中間の「グレー」状態が創出される。
【００７６】
図示されている交番状態は、高い反射率を有する１つのトラックと、低い反射率を有する１つのトラックとの交番状態であるが、これと異なる混在状態、たとえばマークおよびランドの第１群２６を有する５つのトラックと、マークおよびランドの第２群２９を有する１つのトラックとを交番状態とした状態を用いれば、さらに別の中間値がもたらされる。
【００７７】
また、設定点を操作することにより、チャネルビットの異なるパターンを創出することができ、それにより、中間的な反射率を有するマークおよびランドのさらに別の群を創出することができる。したがって、いくつかのトラックをこれらさらに別の群と組み合わせることにより、中間的な反射率を有する複数の領域を創出し、細かいグレースケールのパターンを創出することができる。
【００７８】
図９は、ＤＣ制御を伴わない複製による効果を示している。
【００７９】
オリジナルのディスクが、図６に示したような透かしを有するものとして作製されたと想定すると、違法な複製は、ＤＣ制御情報の損失に繋がる。これは、かかる情報は、ビット検出器中のスライサーおよびその後の復号処理によって、除去されてしまうからである。したがって、ＤＣコンテンツ情報は、容易にアクセス可能なものではない。かかる情報が、違法コピーに記録されるべく再び符号化されると、そのレコーダのＤＣ制御ユニットは異なる決定を下し、したがって１７ＰＰ符号化されたビットのビット群の選択結果は、図６における選択と異なるものとなる。したがって、図９中の１つのトラックは、チャネルビットの異なるパターン、したがってマークおよびランドの異なるパターン（すなわちマークおよびランドの第２群３１）を有するものとなっている。
【００８０】
このマークおよびランドの第２群に対応するチャネルビット２８が、マーク／ランドのパターンの下方に示されている。こうして透かしが変更され、これは容易に検出することができる。この事態は、実際の光学系においてはより大きなスケールで生じる。なぜならば、透かし入力値が存在せず、全く異なる決定が下されるので、図６の透かしがさらに完全に破壊されるためである。
【００８１】
また、レコーダにとっても、透かし入力値と、チャネルビットが記録される記録領域との間において、要求される空間的相関関係を確立することは、非常に困難である。ＬＢＲ上では、適法な光ディスクのオリジナルの製造者によれば、かかる相関関係を確立することができる。
【００８２】
図１０は、ＤＣ制御情報が維持された場合における、ビットごとのコピーまたは再符号化による複製の効果を示している。
【００８３】
ＤＣ制御情報が維持される場合においても、マスタリング機械の機械的な許容誤差のため、記録されるマークおよびランドの群の空間的位置をコントロールすることは非常に難しい。図１０では、３つの矢印により示される位置シフトの結果を示すため、マークおよびランドの第２群３１が用いられている。各矢印は、そのトラックに関するシフト量を表している。
【００８４】
結果として得られたパターンを、マークおよびランドの第２群２９のアラインメントがとられている、図７のオリジナルの状態と比較されたい。図１０に図示したようなシフトが大きなスケールで生じると、綿密に設計された透かしが破壊される。
【図１】
2010514085.tif 000003
【図２】
2010514085.tif 000004
【図３】
2010514085.tif 000005
【図４】
2010514085.tif 000006
【図５】
2010514085.tif 000007
【図６】
2010514085.tif 000008
【図７】
2010514085.tif 000009
【図８】
2010514085.tif 000010
【図９】
2010514085.tif 000011
【図１０】
2010514085.tif 000012
【国際調査報告】
2010514085.tif 000013
2010514085.tif 000014
2010514085.tif 000015